(57)【特許請求の範囲】
【請求項１】
隣接する一対の外壁材の側端面同士が突き合わされ、一方側の前記外壁材が他方側の前記外壁材に向かって付勢され、
一方側の前記外壁材は、前記一対の外壁材の隣接方向にスライド移動可能に建物の躯体側に支持される一方、他方側の前記外壁材は、前記躯体側に固定され、
前記躯体側に固定されたジョイナを備え、
該ジョイナは、一方側の前記外壁材の両端部のうち他方側の前記外壁材とは反対側の端部を付勢して、一方側の前記外壁材と他方側の前記外壁材の間に隙間が生じないようにする付勢手段を有することを特徴とする外壁構造。
【請求項２】
前記付勢手段は、前記ジョイナと一方側の前記外壁材の間に設けられる止水材とは別に設けられていることを特徴とする請求項１に記載の外壁構造。
【請求項３】
前記ジョイナは、一方側の前記外壁材の一方側の側端面と対向する対向部と、該対向部と前記一方側の側端面との間に配設され、該一方側の側端面を付勢する前記付勢手段とを有することを特徴とする請求項１又は２に記載の外壁構造。
【請求項４】
一方側の前記外壁材の他方側の前記外壁材とは反対側に、他の外壁材が隣接し、
一方側の前記外壁材の一方側端部における裏面角部には、凹状の段差部が形成されており、
前記ジョイナは、
前記躯体側に固定され、一方側の前記外壁材及び前記他の外壁材の双方の裏面に接するベース部と、
該ベース部から前記段差部内に突出する前記対向部としての対向片と、
該対向片に配設され、一方側の前記外壁材の前記一方側の側端面を付勢する前記付勢手段としての付勢部材とを有することを特徴とする請求項３に記載の外壁構造。
【請求項５】
他方側の前記外壁材は、出隅材であることを特徴とする請求項１乃至４いずれか１項に記載の外壁構造。
【発明の詳細な説明】
【技術分野】
【０００１】
本発明は、外壁構造に関する。
【背景技術】
【０００２】
特許文献１には、２枚の外壁材の突き合わせ部分を屋内側から覆うように、壁下地に目地材（ジョイナ）を取り付けることで、この突き合わせ部分からの雨水の浸入を抑制した外壁構造が記載されている。
【０００３】
特許文献１に記載の外壁構造では、各外壁材は、壁下地に固定された上下一対の取付金具により上下の端部が支持されることによって、壁下地に対して取り付けられている。
【先行技術文献】
【特許文献】
【０００４】
【特許文献１】特開２０１２−２２９５８６号公報
【発明の概要】
【発明が解決しようとする課題】
【０００５】
ところで、特許文献１に記載の外壁構造では、施工後に外壁材が収縮した場合に、２枚の外壁材の間の間隔が拡がって雨水が浸入しやすくなるおそれがある。
【０００６】
本発明が解決しようとする課題は、施工後に外壁材が収縮した場合でも、隣接する２枚の外壁材の間に隙間ができることを抑制することができる外壁構造を提供する。
【課題を解決するための手段】
【０００７】
上記課題を解決するための本発明の一実施形態の外壁構造は、隣接する一対の外壁材の側端面同士が突き合わされ、一方側の前記外壁材が他方側の前記外壁材に向かって付勢され、一方側の前記外壁材は、前記一対の外壁材の隣接方向にスライド移動可能に建物の躯体側に支持される一方、他方側の前記外壁材は、前記躯体側に固定され、前記躯体側に固定されたジョイナを備え、該ジョイナは、一方側の前記外壁材の両端部のうち他方側の前記外壁材とは反対側の端部を付勢して、一方側の前記外壁材と他方側の前記外壁材の間に隙間が生じないようにする付勢手段を有することを特徴とする。
また、前記付勢手段は、前記ジョイナと一方側の前記外壁材の間に設けられる止水材とは別に設けられていることが好ましい。
【０００９】
また、前記ジョイナは、一方側の前記外壁材の一方側の側端面と対向する対向部と、該対向部と前記一方側の側端面との間に配設され、該一方側の側端面を付勢する前記付勢手段とを有することが好ましい。
【００１０】
また、一方側の前記外壁材の他方側の前記外壁材とは反対側に、他の外壁材が隣接し、一方側の前記外壁材の一方側端部における裏面角部には、凹状の段差部が形成されており、前記ジョイナは、前記躯体側に固定され、一方側の前記外壁材及び前記他の外壁材の双方の裏面に接するベース部と、該ベース部から前記段差部内に突出する前記対向部としての対向片と、該対向片に配設され、一方側の前記外壁材の前記一方側の側端面を付勢する前記付勢手段としての付勢部材とを有することが好ましい。
【００１１】
また、他方側の前記外壁材は、出隅材であることが好ましい。
【発明の効果】
【００１３】
本発明の外壁構造では、施工後に外壁材が収縮した場合でも、隣接する２枚の外壁材の間に隙間ができることを抑制することができる。
【図面の簡単な説明】
【００１５】
【図１】本発明の一実施形態の外壁構造を示す平面図である。
【図２】同上の外壁構造が備えるジョイナを示す斜視図である。
【図３】同上の外壁構造が備える外壁材と留め具とを示す側断面図である。
【発明を実施するための形態】
【００１６】
以下、本発明の一実施形態について添付図面に基づいて説明する。
【００１７】
（外壁構造の構成）
図１に示す本発明の一実施形態の建物の外壁構造１００は、壁下地１と、複数の外壁材２と、複数のジョイナ３と、複数の留め具４とを備える。以下では、壁下地１に対して外壁材２が位置する側を屋外側とし、その反対側を屋内側とし、図１における矢印Ｘ１で示す方向を前方とし、矢印Ｙ１で示す方向を右方として、各構成について説明する。
【００１８】
壁下地１は、本実施形態では、建物の躯体を構成する複数の柱１０と、少なくとも２本の柱１０に架け渡して取り付けられた複数の面材１１と、各面材１１に取り付けられた複数の縦胴縁１２とで構成される。
【００１９】
各面材１１は、構造用合板等の適宜の板材であり、その屋外側の面には防水シート（図示せず）が取り付けられている。各縦胴縁１２は、各面材１１の防水シートで覆われた屋外側の面に、ねじや釘等の固定具で取り付けられる。
【００２０】
各縦胴縁１２には、ジョイナ３または留め具４が取り付けられる。なお、壁下地１は、縦胴縁１２の代わりに横胴縁を有するものであってもよいし、縦胴縁１２と横胴縁の両方を有するものであってもよい。
【００２１】
複数の外壁材２は、壁下地１の屋外側に位置する。複数の外壁材２は、隣接する側端面同士が突き合うようにして横方向に並ぶ第一外壁材２０と第二外壁材２１と第三外壁材２２を有する。第一外壁材２０と第二外壁材２１と第三外壁材２２は、この順に左から右へ並んで位置する。また、複数の外壁材２は、第三外壁材２２の後方に並ぶ第四外壁材２３をさらに有する。外壁材２０，２１，２２，２３のそれぞれは、例えば、セメントを主成分とする窯業系材料で形成される。
【００２２】
本実施形態では、第一外壁材２０と第二外壁材２１はそれぞれ、略矩形板状であり、左右方向を長手方向とし、上下方向を短手方向とし、屋内外方向（前後方向）を厚み方向とする外壁材２である。第四外壁材２３は、略矩形板状であり、前後方向を長手方向とし、上下方向を短手方向とし、屋内外方向（左右方向）を厚み方向とする外壁材２である。
【００２３】
第三外壁材２２は、本実施形態では、出隅材を構成する平面視略Ｌ字状の外壁材２であり、壁下地１に対して位置が固定される。第三外壁材２２は、左右方向を長手方向とする略矩形板状の第一壁部２２０と、この第一壁部２２０の右端部から後方に延びた略矩形板状の第二壁部２２１とを有する。
【００２４】
外壁材２０，２１はそれぞれ、右の側端面が平坦な面であり、左の側端面のうちの屋外側部分（前半部）に、左に突出した突条部２４を有する。突条部２４は、外壁材２０，２１のそれぞれの左の側端面に、上下方向に亘って位置する。言い換えると、外壁材２０，２１のそれぞれは、一方側端部（左端部）における裏面角部（屋内側の角部）に、凹状の段差部２８が形成されている。段差部２８は、左方と屋内側（後方）の双方に開口している。段差部２８は、外壁材２０，２１のそれぞれの左の側端部に、上下方向に亘って位置する。
【００２５】
第四外壁材２３は、前端面が平坦な面であり、図示されていないが、後端面のうちの屋外側部分（右半部）に、後方に突出した突条部２４を有する。突条部２４は、第四外壁材２３の後端面に、上下方向に亘って位置する。言い換えると、第四外壁材２３は、一方側端部（後端部）における裏面角部（左側の角部）に、凹状の段差部２８が形成されている。段差部２８は、後方と屋内側（左方）の双方に開口している。段差部２８は、第四外壁材２３の後端部に、上下方向に亘って位置する。
【００２６】
第三外壁材２２は、第一壁部２２０の左の側端面のうちの屋外側部分（前半部）に、左に突出した突条部２４を有し、第二壁部２２１の後端面のうちの屋外側部分（右半部）に、後方に突出した突条部２４を有する。突条部２４は、第一壁部２２０の左の側端面と、第二壁部２２１の後端面のそれぞれに、上下方向に亘って位置する。言い換えると、第三外壁材２２は、第一壁部２２０の一方側端部（左端部）における裏面角部（屋内側の角部）に、凹状の段差部２８が形成されている。そして、第三外壁材２２は、第二壁部２２１の一方側端部（後端部）における裏面角部（左側の角部）に、凹状の段差部２８が形成されている。第一壁部２２０の段差部２８は、左方と屋内側（後方）の双方に開口し、第二壁部２２１の段差部２８は、後方と屋内側（左方）の双方に開口している。段差部２８は、第一壁部２２０の左端部と、第二壁部２２１の後端部のそれぞれに、上下方向に亘って位置する。
【００２７】
図３には、留め具４によって躯体側（縦胴縁１２）に留め付けられて支持された外壁材２が示されている。各外壁材２、つまり外壁材２０，２１，２２，２３のそれぞれは、上端面のうち屋内側の端部に上方に突出した上突条部２５を有する。そして、外壁材２０，２１，２２，２３のそれぞれは、下端面のうち屋外側の部分に下方に突出した下第一突条部２６を有し、下端面のうち屋内側の端部に下方に突出した下第二突条部２７を有する。上突条部２５は、屋内外方向において、下第一突条部２６よりも屋内側に位置する。そして、上突条部２５は、屋内外方向において、下第二突条部２７と略同じ位置に位置する。各突条部２５，２６，２７は、外壁材２０，２１，２２，２３のそれぞれの上端面と下端面に長手方向に亘って位置する。
【００２８】
複数のジョイナ３は、図１に示すように、第一外壁材２０と第二外壁材２１との突き合わせ部分と、壁下地１との間に位置する第一ジョイナ５と、第二外壁材２１と第三外壁材２２との突き合わせ部分と、壁下地１との間に位置する第二ジョイナ６とを含む。さらに複数のジョイナ３は、第三外壁材２２と第四外壁材２３との突き合わせ部分と、壁下地１との間に位置する第三ジョイナ７を含む。第三ジョイナ７は、第二ジョイナ６と同大同形である。
【００２９】
ジョイナ５，６，７は、例えば、金属製である。ジョイナ５，６，７は、上下方向に長尺なものであり、その上下方向の長さが、例えば、上下に並べて設置される複数枚の外壁材２の上下長さの合計と略同じである。なお、ジョイナ５，６，７は、その上下長さが、１枚の外壁材２の上下長さよりも短いものであってもよい。この場合、１枚の外壁材２の屋内側には、複数のジョイナ５，６，７が、外壁材２の上下方向に亘って位置するように設置される。
【００３０】
第一ジョイナ５は、第二外壁材２１の一方側の側端面（左端面）と対向する対向部と、該対向部と第二外壁材２１の一方側の側端面（左端面）との間に配設され、第二外壁材２１の一方側の側端面（左端面）を付勢する付勢手段とを有する。詳しくは、第一ジョイナ５は、図１及び図２に示すように、第一外壁材２０と第二外壁材２１の双方の裏面（屋内側面）に接するベース部５０を有する。さらに、第一ジョイナ５は、ベース部５０から屋外側（つまり段差部２８内）に突出する対向部としての対向片５１と、対向片５１に配設され、第二外壁材２１の一方側の側端面（左端面）を付勢する付勢手段としての付勢部材５２とを有する。さらに、第一ジョイナ５は、ベース部５０の左右の端部のそれぞれに連続する一対の取付部５３と、対向片５１の前端部に連続する支持片部５４とを有する。
【００３１】
ベース部５０は、本実施形態では、略矩形板状であり、上下方向が長手方向であり、左右方向が短手方向であり、屋内外方向が厚み方向である。ベース部５０は、左右の端部のそれぞれに屋外側に向けて突出した突片部５００を有する。突片部５００は、ベース部５０の左右の端部に上下方向に亘って形成されている。
【００３２】
ベース部５０の屋外側面における左右の突片部５００の左右方向内側の部位に、パッキン等の止水材１４が、上下方向に亘って取り付けられる。ベース部５０は、左右の端部がそれぞれ、止水材１４を介して、第一外壁材２０と第二外壁材２１のそれぞれの屋内側面に当たる。
【００３３】
ベース部５０の屋外側の面のうち左右方向の中央部から、対向片５１が屋外側に突出している。対向片５１は、略矩形板状であり、上下方向が長手方向であり、屋内外方向が短手方向であり、左右方向が厚み方向である。
【００３４】
対向片５１の屋外側の端部と、支持片部５４の左右方向の中央部とが一体である。支持片部５４は、略矩形板状であり、上下方向が長手方向であり、左右方向が短手方向であり、屋内外方向が厚み方向である。支持片部５４は、ベース部５０と平行であり、その左右方向の長さは、ベース部５０の左右方向の長さよりも短く、各外壁材２の突条部２４の突出長さ（左右方向の長さ）よりも若干短い。支持片部５４の屋外側面の全面に、板状の止水材１４が取り付けられる。
【００３５】
左右一対の取付部５３のそれぞれは、屋外側に開放された断面コ字状をなしている。左右一対の取付部５３のそれぞれは、ベース部５０の左右一方の端部から屋内側に延びる内側壁部５３０と、内側壁部５３０の後端から左右方向外側に延びる底壁部５３１と、底壁部５３１の左右方向外側の端部から屋外側に延びる外側壁部５３２とを有する。内側壁部５３０と底壁部５３１と外側壁部５３２はそれぞれ略矩形板状である。内側壁部５３０と外側壁部５３２とは平行である。底壁部５３１は、ベース部５０に対して平行である。外側壁部５３２の屋外側の端部（前端部）は、ベース部５０の突片部５００の屋外側の端部（前端部）よりも僅かに屋外側（前方）に位置する。
【００３６】
付勢部材５２は、対向片５１の第三外壁材２２側の面に設けられている。付勢部材５２は、第二外壁材２１を第三外壁材２２側に付勢する弾性力を付与するものであり、本実施形態では、板バネである。なお、付勢部材５２は、コイルバネや、ゴム等であってもよい。付勢部材５２が、ゴムである場合、弾性力の付与に加えて、対向片５１と第二外壁材２１との隙間を埋めることができる。
【００３７】
第一ジョイナ５は、付勢部材５２を除いた残りの構成が、上下方向に亘って一定の断面形状を有する。第一ジョイナ５のうち付勢部材５２を除いた残りの構成は、例えば、アルミニウムの押出成形により形成される。そして、付勢部材５２は、例えば、ビス止めなどによって対向片５１に固定される。
【００３８】
付勢部材５２は、第一ジョイナ５の上下方向の長さに対応して、対向片５１に１つまたは複数設けられる。複数の付勢部材５２は、上下方向に間隔をおいて位置してもよいし、上下方向に隙間なく並んで位置してもよい。付勢部材５２の設置数は、第二外壁材２１のスライド移動に必要な力を確保できるように、適宜決められる。
【００３９】
第一ジョイナ５は、左右一対の取付部５３の底壁部５３１にそれぞれ、屋外側からビスや釘等の固定具を打ち込むことによって、縦胴縁１２に対して固定される。
【００４０】
第二ジョイナ６と第三ジョイナ７はそれぞれ、第一ジョイナ５から付勢部材５２を除いたものである。つまり、第二ジョイナ６と第三ジョイナ７はそれぞれ、突片部５００付きのベース部５０と、対向片５１と、左右一対の取付部５３と、支持片部５４を備え、付勢部材５２は有していない。
【００４１】
複数の留め具４のそれぞれは、図１及び図３に示すように、縦胴縁１２にねじや釘等の固定具１３で取り付けられて、外壁材２０，２１，２２，２３のそれぞれを支持するものである。外壁材２０，２１，２２，２３のそれぞれは、上下一対の留め具４によって支持されることで、壁下地１に対して取り付けられる。留め具４は、例えば金属製である。
【００４２】
各留め具４は、壁下地１の縦胴縁１２に固定される板状の取付部４０と、上に載置された外壁材２を支持する左右一対の支持部４１と、下に配された外壁材２に引っ掛ける引掛け部４２とを有する。さらに、各留め具４は、上に載置された外壁材２と下に配された外壁材２のそれぞれの屋内側面に当たる左右一対の位置決め部４３を有する。
【００４３】
本実施形態では、各留め具４は、取付部４０の屋外側面から屋外側に突出した連結部４４を有する。連結部４４の屋外側の端部の左右方向の中央部から、側面視Ｌ字状の引っ掛け部４２が突出しており、連結部４４の屋外側の端部の左右方向の両端部から、斜め上方に向けて左右一対の支持部４１が突出している。左右一対の位置決め部４３のそれぞれは、取付部４０の左右一方の端部から屋外側に向けて突出しており、平面視略Ｊ字状である。
【００４４】
外壁材２０，２１は、上下一対の留め具４によって支持されることで、左右方向（つまり一対の外壁材２１，２１の隣接方向）にスライド移動可能に、建物の躯体側（縦胴縁１２）に支持されている。第三外壁材２２は、第一壁部２２０と第二壁部２２１がそれぞれ、上下一対の留め具４によって支持されることで、スライド移動不可に、つまり建物の躯体側（縦胴縁１２）に固定されている。第四外壁材２３は、上下一対の留め具４によって支持されることで、前後方向（つまり一対の外壁材２２，２３の隣接方向）にスライド移動可能に、建物の躯体側（縦胴縁１２）に支持されている。
【００４５】
なお、留め具４は、図１及び図３に示す形状のものに限らず、上に載置された外壁材２を下から支持可能であり、支持された外壁材２がスライド移動可能となるものであればよい。
【００４６】
（外壁構造の施工方法）
続いて、図１に示す本実施形態の外壁構造１００の施工手順の一例について説明する。
【００４７】
まず、柱１０に取り付けられた面材１１のうち、第三外壁材２２の第一壁部２２０の左右方向の一部（例えば中央部）と左端部のそれぞれに対応する箇所に、縦胴縁１２を取り付ける。そして、柱１０に取り付けられた面材１１のうち、第三外壁材２２の第二壁部２２１の前後方向の一部（例えば中央部）と後端部のそれぞれに対応する箇所に、縦胴縁１２を取り付ける。
【００４８】
次いで、面材１１のうち、第一壁部２２０の左右方向の一部と、第二壁部２２１の前後方向の一部のそれぞれに対応する箇所に取り付けた縦胴縁１２には、第一壁部２２０と第二壁部２２１のそれぞれの下端部に対応する箇所に、留め具４を取り付ける。各留め具４は、取付部４０を縦胴縁１２に当て、屋外側から取付部４０に固定具１３を打ち付けることで、縦胴縁１２に固定される（図３参照）。そして、図１に示すように、面材１１のうち、第一壁部２２０の左端部に対応する箇所に取り付けた縦胴縁１２には、第二ジョイナ６を取り付ける。そして、面材１１のうち、第二壁部２２１の後端部に対応する箇所に取り付けた縦胴縁１２には、第三ジョイナ７を取り付ける。第二ジョイナ６と第三ジョイナ７は、一対の取付部５３の底壁部５３１を縦胴縁１２に当て、各底壁部５３１に屋外側から固定具を打ち付けることで、縦胴縁１２に固定される。
【００４９】
次いで、第二ジョイナ６と第三ジョイナ７のそれぞれにおいて、ベース部５０の屋外側面の左右の端部それぞれと、支持片部５４の屋外側面に、止水材１４を上下方向に亘って取り付ける。なお、止水材１４は、ジョイナ６，７の前記の箇所に予め貼り付けられているものであってもよい。
【００５０】
次いで、各縦胴縁１２に取り付けた留め具４上に、第三外壁材２２の第一壁部２２０と第二壁部２２１をそれぞれ載せ、各縦胴縁１２のうち、第一壁部２２０と第二壁部２２１のそれぞれの上端部に対応する箇所に留め具４を取り付ける。これにより、第三外壁材２２が、上下一対の留め具４によって壁下地１に取り付けられる。このとき、第三外壁材２２は、第一壁部２２０と第二壁部２２１のそれぞれが、上下一対の留め具４によって支持されることで、壁下地１に対して移動不可な状態で取り付けられる。
【００５１】
第三外壁材２２が壁下地１に取り付けられた状態で、第二ジョイナ６の屋外側に、第一壁部２２０の左端部が位置し、第三ジョイナ７の屋外側に、第二壁部２２１の後端部が位置する。このとき、第二ジョイナ６の対向片５１と支持片部５４は、第一壁部２２０の凹状の段差部２８内に収まる。またこのとき、第二ジョイナ６の支持片部５４が、止水材１４を介して、第一壁部２２０の突条部２４の屋内側面に当たり、第二ジョイナ６のベース部５０の右端部が止水材１４を介して、第一壁部２２０の屋内側面の左端部に当たる。またこのとき、第二ジョイナ６の右側の取付部５３の外側壁部５３２の前端が、第一壁部２２０の屋内側面に当たり、第二ジョイナ６の右側の突片部５００の前端が、第一壁部２２０の屋内側面から若干離れて位置する。ここで、第三外壁材２２と第二ジョイナ６は、第二ジョイナ６の支持片部５４と、第一壁部２２０の左の側端面のうちの突条部２４よりも屋内側の部分との間に、僅かな隙間が形成されるように配される。
【００５２】
第三外壁材２２が壁下地１に取り付けられた状態で、第三ジョイナ７の対向片５１と支持片部５４は、第二壁部２２１の凹状の段差部２８内に収まる。このとき、第三ジョイナ７の支持片部５４が、止水材１４を介して第二壁部２２１の突条部２４の屋内側面に当たる。そして、第三ジョイナ７のベース部５０の前端部が、止水材１４を介して第二壁部２２１の屋内側面の後端部に当たる。またこのとき、第三ジョイナ７の前側の取付部５３の外側壁部５３２の右端が、第二壁部２２１の屋内側面に当たり、第三ジョイナ７の前側の突片部５００の右端が、第二壁部２２１の屋内側面から若干離れて位置する。ここで、第三外壁材２２と第三ジョイナ７は、第三ジョイナ７の支持片部５４と、第二壁部２２１の後端面のうちの突条部２４よりも屋内側の部分との間に、僅かな隙間が形成されるように配される。
【００５３】
次いで、面材１１のうち、第二外壁材２１の左右方向の一部（例えば中央部）と、第一外壁材２０の左右方向の一部（例えば中央部）と、第一外壁材２０と第二外壁材２１の突き合わせ部分のそれぞれに対応する箇所に、縦胴縁１２を取り付ける。
【００５４】
次いで、面材１１のうち、第一外壁材２０の左右方向の一部と、第二外壁材２１の左右方向の一部のそれぞれに対応する箇所に取り付けた縦胴縁１２には、第一外壁材２０と第二外壁材２１のそれぞれの下端部に対応する箇所に、留め具４を取り付ける。各留め具４は、取付部４０を縦胴縁１２に当て、屋外側から取付部４０に固定具１３を打ち付けることで、縦胴縁１２に固定される。そして、面材１１のうち、第一外壁材２０と第二外壁材２１の突き合わせ部分に対応する箇所に取り付けた縦胴縁１２には、第一ジョイナ５を取り付ける。第一ジョイナ５は、左右一対の取付部５３の底壁部５３１を縦胴縁１２に当て、屋外側から底壁部５３１に固定具を打ち付けることで、縦胴縁１２に固定される。
【００５５】
次いで、各縦胴縁１２に取り付けた留め具４上に、第一外壁材２０と第二外壁材２１をそれぞれ載せる。このとき、第一外壁材２０の右の側端面と第二外壁材２１の左の側端面（突条部２４の先端面）とが突き合わさり、第二外壁材２１の右の側端面と第三外壁材２２の左の側端面（突条部２４の先端面）とが突き合わさるように、外壁材２０，２１を載せる。このとき、第一ジョイナ５の対向片５１と支持片部５４と付勢部材５２は、第二外壁材２１の凹状の段差部２８内に収まる。なお、第一ジョイナ５は、第一ジョイナ５の支持片部５４が、第二外壁材２１の左の側端面のうちの突条部２４よりも屋内側の部分との間に、僅かな隙間が形成されるように配する。
【００５６】
次いで、各縦胴縁１２のうち、第一外壁材２０と第二外壁材２１のそれぞれの上端部に対応する箇所に留め具４を取り付けて、第一外壁材２０と第二外壁材２１をそれぞれ、上下一対の留め具４によって壁下地１に取り付ける。このように取り付けられることで、外壁材２０，２１のそれぞれは、建物の躯体側に、左右方向（つまり一対の外壁材２０，２１の隣接方向）にスライド移動可能に支持される。なお、施工直後の状態では、外壁材２０，２１のそれぞれは、隣接方向に互いに接し、なおかつ、第二外壁材２１は、第三外壁材２２に対して接しているため、外壁材２０，２１，２３のいずれか１つが収縮しないかぎり、位置が略固定されている。
【００５７】
外壁材２０，２１が壁下地１に取り付けられた状態で、第一ジョイナ５の屋外側に、第一外壁材２０と第二外壁材２１の突き合わせ部分が位置する。このとき、第一ジョイナ５の支持片部５４は、止水材１４を介して、第二外壁材２１の突条部２４の屋内側面に当たる。そして、第一ジョイナ５のベース部５０の右端部が止水材１４を介して、第二外壁材２１の屋外側面の左端部に当たり、ベース部５０の左端部が止水材１４を介して、第一外壁材２０の屋内側面の右端部に当たる。そして、第二ジョイナ６のベース部５０の左端部が、止水材１４を介して、第二外壁材２１の屋内側面の右端部に当たる。
【００５８】
第二外壁材２１が壁下地１に取り付けられた状態で、第一ジョイナ５の付勢部材５２が、第二外壁材２１の左の側端面のうち突条部２４よりも屋内側の部位に当たって、第二外壁材２１に対して第三外壁材２２に当たる向きに弾性力を付与する。これにより、第二外壁材２１は、右の側端面が第三外壁材２２の第一壁部２２０の突条部２４の先端（左端）に押し当たった状態となる。
【００５９】
第一外壁材２０の左側に、さらに他の外壁材２を並べて設置する場合には、上述した手順と同様の手順で、隣接する２枚の外壁材２の突き合わせ部分の屋内側に第一ジョイナ５が位置するように、他の外壁材２と第一ジョイナ５とを設置する。
【００６０】
なお、第四外壁材２３の設置については、上述した第二外壁材２１の設置と同様の手順で行う。
【００６１】
また、第四外壁材２３の後方に、さらに他の外壁材２を並べて設置する場合にも、上述した手順と同様の手順で、隣接する２枚の外壁材２の突き合わせ部分の屋内側に第一ジョイナ５が位置するように、他の外壁材２と第一ジョイナ５とを設置する。
【００６２】
以上のようにして施工された図１に示す本実施形態の外壁構造１００では、第二外壁材２１や第三外壁材２２の第一壁部２２０が、施工後に左右方向に収縮した場合に、第一ジョイナ５の付勢部材５２によって第二外壁材２１を第三外壁材２２に当たる位置へとスライド移動させて、第二外壁材２１と第三外壁材２２との間に隙間が形成されるのを抑制することができる。
【００６３】
また、本実施形態の外壁構造１００では、第一外壁材２０や第二外壁材２１が、施工後に左右方向に収縮した場合には、第一外壁材２０の左端部の屋内側に配された他の第一ジョイナ５の付勢部材５２によって、第一外壁材２０を第二外壁材２１に当たる位置へとスライド移動させることができる。したがって、上記の如く第二外壁材２１がスライド移動しても、この第二外壁材２１とその左側に隣接する第一外壁材２０との間に隙間が形成されるのを抑制することができる。
【００６４】
また、本実施形態の外壁構造１００では、第四外壁材２３や第三外壁材２２の第二壁部２２１が、施工後に前後方向に収縮した場合に、第四外壁材２３の後端部の屋内側に配された他の第一ジョイナ５の付勢部材５２によって、第四外壁材２３を第三外壁材２２の第二壁部２２１に当たる位置へとスライド移動させることができる。
【００６５】
以上のように、本実施形態の外壁構造１００では、隣接する２枚の外壁材２の突き合わせ部分に、付勢部材５２付きの第一ジョイナ５を設けたことで、付勢部材５２によって押圧される外壁材２とその押圧方向にある他の外壁材２との間に隙間が生じることが抑制できる。これにより、本実施形態の外壁構造１００では、隣接する２枚の外壁材２の間の隙間にコーキング剤を充填するといったコーキング処理を行わなくてもよく、施工が簡単に行えるものとなっている。
【００６６】
また、本実施形態の外壁構造１００では、仮に、２枚の外壁材２の間から雨水が浸入した場合でも、ジョイナ３と外壁材２との間に設けた各止水材１４によって、壁下地１まで雨水が入り込むことを抑制することができる。また、これら止水材１４を乗り越えて水が浸入しても、この浸入した水を取付部５３の内側壁部５３０、底壁部５３１及び外側壁部５３２によって囲まれるスペースを通じて下方に流すことができる。
【００６７】
なお、上述した実施形態の外壁構造１００は、第三外壁材２２が、第一外壁材２０や第二外壁材２１と同様に、略矩形板状の外壁材２であってもよいし、入隅材を構成する外壁材２であってもよい。
【００６８】
また、上述した実施形態の外壁構造１００は、第二外壁材２１と第三外壁材２２との突き合わせ部分や、第三外壁材２２と第四外壁材２３との突き合わせ部分に設置されるジョイナ３が、付勢部材５２付きの第一ジョイナ５であってもよい。
【００６９】
以上、図に基づいて説明した本発明の一実施形態の外壁構造１００は、下記の構成を備えることを特徴とする。
【００７０】
すなわち、一実施形態の外壁構造１００は、隣接する一対の外壁材２１，２２の側端面同士が突き合わされ、一方側の外壁材２１が他方側の外壁材２２に向かって付勢されていることを特徴とする。
【００７１】
上記の構成のように、一実施形態の外壁構造１００では、一方側の外壁材２１が他方側の外壁材２２に向かって付勢される。これにより、一実施形態の外壁構造１００では、施工後に外壁材２１，２２のいずれか一方が収縮した場合でも、一方側の外壁材２１が他方側の外壁材２２に当たった状態を維持することができ、隣接する２枚の外壁材２１，２２の間に隙間ができることを抑制することができる。
【００７２】
さらに本発明の一実施形態の外壁構造１００は、上記の構成に加えて、下記の構成を付加的に備える。
【００７３】
すなわち、一実施形態の外壁構造１００では、一方側の外壁材２１は、一対の外壁材２１，２２の隣接方向にスライド移動可能に建物の躯体側に支持される一方、他方側の外壁材２２は、躯体側に固定される。一実施形態の外壁構造１００は、躯体側に固定されたジョイナ５を備える。該ジョイナ５は、一方側の外壁材２１を他方側の外壁材２２に向かって付勢する付勢手段を有する。
【００７４】
上記の付加的な構成を備えることで、一実施形態の外壁構造１００では、施工後に外壁材２１，２２の少なくとも一方が一対の外壁材２１，２２の隣接方向に収縮する場合に、ジョイナ５の付勢手段によって、一方側の外壁材２１を他方側の外壁材２２側へとスライド移動させることができ、外壁材２１，２２の側端面同士が当たった状態を維持することができる。
【００７５】
さらに本発明の一実施形態の外壁構造１００は、上記の構成に加えて、下記の構成を付加的に備える。
【００７６】
すなわち、一実施形態の外壁構造１００では、ジョイナ５は、一方側の外壁材２１の一方側の側端面と対向する対向部と、該対向部と前記一方側の側端面との間に配設され、該一方側の側端面を付勢する前記付勢手段とを有する。
【００７７】
上記の付加的な構成を備えることで、一実施形態の外壁構造１００では、ジョイナ５が有する対向部を、一方側の外壁材２１の一方側の側端面に対向するように配することで、外壁材２１，２２の収縮時には、ジョイナ５が有する付勢手段によって一方側の外壁材２１を他方側の外壁材２２側へとスライド移動させることができ、外壁材２１，２２の側端面同士が当たった状態を維持することができる。
【００７８】
さらに本発明の一実施形態の外壁構造１００は、上記の構成に加えて、下記の構成を付加的に備える。
【００７９】
すなわち、一実施形態の外壁構造１００では、一方側の外壁材２１の他方側の外壁材２２とは反対側に、他の外壁材２０が隣接する。一方側の外壁材２１の一方側端部における裏面角部には、凹状の段差部２８が形成されている。ジョイナ５は、躯体側に固定され、一方側の外壁材２１及び他の外壁材２０の双方の裏面に接するベース部５０と、ベース部５０から段差部２８内に突出する前記対向部としての対向片５１と、対向片５１に配設され、一方側の外壁材２１の前記一方側の側端面を付勢する前記付勢手段としての付勢部材５２とを有する。
【００８０】
上記の付加的な構成を備えることで、一実施形態の外壁構造１００では、ジョイナ５の対向片５１と付勢部材５２によって、一方側の外壁材２１を側方から付勢することができ、なおかつ、ジョイナ５のベース部５０によって、一方側の外壁材２１と他の外壁材２０の間の隙間を裏側から塞ぐことができる。さらに、一実施形態の外壁構造１００では、ジョイナ５の対向片５１と付勢部材５２は、一方側の外壁材２１の一方側端部における裏面角部に形成された凹状の段差部２８内に収めることができる。そのため、一実施形態の外壁構造１００では、ジョイナ５の対向片５１と付勢部材５２を配するためのスペースを、外壁材２０，２１間に設ける必要がなく、外壁材２０，２１間にジョイナ５設置用の隙間が形成されることを防止することができる。
【００８１】
さらに本発明の一実施形態の外壁構造１００は、上記の構成に加えて、下記の構成を付加的に備える。
【００８２】
すなわち、一実施形態の外壁構造１００では、他方側の外壁材２２とは、出隅材である。
【００８３】
上記の付加的な構成を備えることで、一実施形態の外壁構造１００では、出隅材（第三外壁材２２）と、その側方に並ぶ外壁材（第二外壁材２１）との間に隙間ができることを抑制することができる。
【００８４】
また、本発明の一実施形態のジョイナ５は、下記の構成を備えることを特徴とする。
【００８５】
すなわち、一実施形態のジョイナ５は、側端面同士が突き合わされた隣接する一対の外壁材２１，２２のうち、一方側の外壁材２１が該一対の外壁材２１，２２の隣接方向にスライド移動可能に建物の躯体側に支持される一方、他方側の外壁材２２が該躯体側に固定された外壁構造で用いられ、前記躯体側に固定されるジョイナ５である。このジョイナ５は、一方側の外壁材２１を他方側の外壁材２２に向かって付勢する付勢手段を備える。
【００８６】
上記の構成を備えることで、一実施形態のジョイナ５は、施工後に外壁材２１，２２の少なくとも一方が一対の外壁材２１，２２の隣接方向に収縮する場合に、ジョイナ５の付勢手段によって、一方側の外壁材２１を他方側の外壁材２２側へとスライド移動させることができる。よって、一実施形態のジョイナ５は、外壁材２１，２２の収縮時でも、外壁材２１，２２の側端面同士が当たった状態を維持することができて、隣接する２枚の外壁材２１，２２の間に隙間ができることを抑制することができる。
【００８７】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００８８】
２０    第一外壁材（他の外壁材）
２１    第二外壁材（一方側の外壁材）
２２    第三外壁材（他方側の外壁材）
２８    段差部
５      第一ジョイナ
５０    ベース部
５１    対向片
５２    付勢部材
１００  外壁構造
【図１】
0006712103.tif 000002
【図２】
0006712103.tif 000003
【図３】
0006712103.tif 000004